(57)【要約】【課題】ヒンジにヒンジ用装置を固定した状態で、ヒンジのねじを操作できるヒンジ用装置を提供する。【解決手段】ヒンジ用装置９は、被取付部１０と、被取付部１０に螺合し、アクセス孔３４ａを有する止めねじ３４と、を備える。止めねじ３４を締めて、ヒンジ２に被取付部１０を固定した状態において、止めねじ３４のアクセス孔３４ａを介して、ヒンジ２のねじ３３を操作可能である。ヒンジ２のねじ３３は、本体１に対する扉３の位置を調節するための調節ねじである。【選択図】図３
2018197464.tif 000002
【特許請求の範囲】
【請求項１】
本体と扉とを連結するヒンジに取り付けられるヒンジ用装置であって、
前記ヒンジは、ねじを有し、
前記ヒンジ用装置は、被取付部と、前記被取付部に螺合し、アクセス孔を有する止めねじと、を備え、
前記止めねじを締めて前記ヒンジに前記被取付部を固定した状態において、前記止めねじの前記アクセス孔を介して前記ヒンジの前記ねじを操作可能であるヒンジ用装置。
【請求項２】
前記止めねじを締めた状態において、前記止めねじが前記ねじの頭部に被さることを特徴とする請求項１に記載のヒンジ用装置。
【請求項３】
前記ヒンジの前記ねじは、前記本体に対する前記扉の位置を調節するための調節ねじであることを特徴とする請求項１又は２に記載のヒンジ用装置。
【請求項４】
前記ヒンジは、前記本体及び前記扉のいずれか一方に取り付けられ、前記ねじを有する第１部と、前記本体及び前記扉の他方に取り付けられる第２部と、を備え、
前記第１部は、前記本体に固定される取付け座と、前記取付け座に着脱可能に取り付けられる第１部本体と、を有し、
前記被取付部が前記第１部本体に固定されることを特徴とする請求項１ないし３のいずれか一項に記載のヒンジ用装置。
【発明の詳細な説明】
【技術分野】
【０００１】
本発明は、本体と扉とを連結するヒンジに取り付けられるヒンジ用装置に関する。
【背景技術】
【０００２】
ヒンジは、本体と扉とを連結し、扉を開閉可能にする。ヒンジには、扉が閉まるときの衝撃を緩和するダンパが取り付けられることがある。
【０００３】
特許文献１には、ヒンジにダンパを取り付けるためのヒンジ用装置が開示されている。図１３に示すように、このヒンジ用装置は、ダンパアダプタ７１と、蓋体７２と、を備える。ダンパアダプタ７１は、ダンパ７３を収納した状態でヒンジ７４に摺動結合される。ダンパアダプタ７１の上面には、ねじ７５ａ，７５ｂと係止孔７６に対応する点検口７１ａ，７１ｂ，７１ｃが形成される。蓋体７２は、ダンパアダプタ７１に搭載されて、ねじ７５ａ，７５ｂと係止孔７６を密閉する。蓋体７２の下面には、ダンパアダプタ７１の点検口７１ｃを経由して係止孔７６に嵌入される固定突起７２ａが形成される。
【０００４】
ダンパアダプタ７１の上面に蓋体７２を載せて押すと、蓋体７２の固定突起７２ａがダンパアダプタ７１の点検口７１ｃを経由してヒンジ７４の係止孔７６に嵌まる。このため、ヒンジ用装置（ダンパアダプタ７１、蓋体７２）をヒンジ７４に容易に固定することができる。
【先行技術文献】
【特許文献】
【０００５】
【特許文献１】特表２０１０−５３７０８８号公報
【発明の概要】
【発明が解決しようとする課題】
【０００６】
しかし、特許文献１に記載のヒンジ用装置にあっては、ねじが蓋体で密閉されるので、ヒンジにヒンジ用装置を固定した状態で、ねじを操作できないという課題がある。ヒンジのねじは、例えば本体に対する扉の位置を調節するために設けられる。このため、扉の位置を調節できなくなるという課題がある。
【０００７】
そこで、本発明は、ヒンジにヒンジ用装置を固定した状態で、ヒンジのねじを操作できるヒンジ用装置を提供することを目的とする。
【課題を解決するための手段】
【０００８】
上記課題を解決するために、本発明は、本体と扉とを連結するヒンジに取り付けられるヒンジ用装置であって、前記ヒンジは、ねじを有し、前記ヒンジ用装置は、被取付部と、前記被取付部に螺合し、アクセス孔を有する止めねじと、を備え、前記止めねじを締めて前記ヒンジに前記被取付部を固定した状態において、前記止めねじの前記アクセス孔を介して前記ヒンジの前記ねじを操作可能であるヒンジ用装置である。
【発明の効果】
【０００９】
本発明によれば、ヒンジにヒンジ用装置を固定した状態で、止めねじのアクセス孔を介してヒンジのねじを操作できる。
【図面の簡単な説明】
【００１０】
【図１】本発明の第１の実施形態のヒンジ用装置の斜視図である。
【図２】本実施形態のヒンジ用装置とヒンジとを分解した状態の斜視図である。
【図３】本実施形態のヒンジ用装置をヒンジに取り付けた状態を示す図である（図３（ａ）は側面図、図３（ｂ）は断面図、図３（ｃ）は図３（ｂ）のIII（ｃ）-III（ｃ）線断面図である）。
【図４】本実施形態のヒンジ用装置の底面図である。
【図５】本実施形態のヒンジ用装置の分解斜視図である。
【図６】本実施形態のヒンジ用装置の動作図である（図６（ａ）は扉の閉じ位置を示し、図６（ｂ）は扉の開き位置を示す）。
【図７】本実施形態のヒンジ用装置の取付け方法の工程図である。
【図８】本実施形態のヒンジ用装置の取付け方法の工程図である。
【図９】本実施形態のヒンジ用装置の取付け方法の工程図である。
【図１０】本発明の第２の実施形態のヒンジ用装置の斜視図である。
【図１１】１軸ヒンジの斜視図である。
【図１２】本発明の第３の実施形態のヒンジ用装置の斜視図である。
【図１３】従来のヒンジ用装置の斜視図である。
【発明を実施するための形態】
【００１１】
以下、添付図面に基づいて、本発明のヒンジ用装置の実施形態を詳細に説明する。ただし、本発明のヒンジ用装置は種々の形態で具体化することができ、本明細書に記載される実施形態に限定されるものではない。本実施形態は、明細書の開示を十分にすることによって、当業者が発明の範囲を十分に理解できるようにする意図をもって提供されるものである。
（第１の実施形態）
【００１２】
図１は、本発明の第１の実施形態のヒンジ用装置をヒンジに取り付けた状態を示す。スライドヒンジ２（以下、単にヒンジ２という）は、家具の本体１と扉３とを連結し、扉３を開閉可能にする。この実施形態の扉３は上開き扉であり、ヒンジ２によって閉じ位置から開き位置まで水平軸の回りを回転する。図１には、扉３の開き位置を示す。ヒンジ２は、本体１に取り付けられる第１部４と、扉３に取り付けられる第２部５と、を備える。第１部４と第２部５とは、２つのリンク７，８（図３（ｂ）参照）を介して連結される。
【００１３】
この実施形態のヒンジ用装置９は、扉に開き方向及び／又は閉じ方向のトルクを働かせる機能を持つ。具体的には、ヒンジ用装置９は、閉じ位置にある扉３に閉じ方向のトルクを働かせるキャッチ機能、扉３をわずかな力で開けられるように扉３に開き方向のトルクを働かせるアシスト機能、扉３を任意の開き角度で停止させるフリーストップ機能、扉３を開き位置に保つキャッチ機能の少なくとも備える。
【００１４】
ヒンジ用装置９は、被取付部としてのベース１０と、ベース１０に回転可能に支持されるアーム１１と、を備える。ベース１０は、ヒンジ２の第１部４に取り付けられ、第１部４を介して本体１に取り付けられる。アーム１１の先端部は、座１２を介して扉３に連結される。
【００１５】
なお、以下においては、説明の便宜上、本体１を正面から見たときの方向、すなわち図１に示す前後方向、左右方向、及び上下方向を用いてヒンジ用装置９の構成を説明する。もちろん、ヒンジ用装置９の配置は、このような配置に限られるものではない。
【００１６】
本体１は、天板１ａと、左右一対の側板１ｂと、図示しない底板と、を備える。ヒンジ２の第１部４は、第１ねじ１４を用いて天板１ａに取り付けられる。ヒンジ２の第２部５は、第２ねじ１５を用いて扉３に取り付けられる。座１２は、第３ねじ１６を用いて扉３に取り付けられる。
【００１７】
図２は、ヒンジ用装置９とヒンジ２とを分解した状態の斜視図を示す。ヒンジ２の第１部４（図１も参照）は、本体１に取り付けられる取付け座１６（図１参照）と、取付け座１６にワンタッチで着脱可能に取り付けられる第１部本体１７（図２参照）と、を備える。第１部本体１７は、互いに対向する左右一対の側板１７ａと、側板１７ａを連結する連結板１７ｂと、を有して、断面略コ字状である。第１部本体１７は、前後方向に長い。
【００１８】
第１部本体１７には、中間プレート１８が組み込まれる。中間プレート１８も断面コ字状である。中間プレート１８の前端部には、軸１８ａが設けられ、中間プレート１８の後端部には、ねじりばね１８ｃによって閉じ方向に付勢される回転可能なフック１８ｂが設けられる。第１部本体１７を取付け座１６に被せるようにして押し込むと、中間プレート１８の軸１８ａが取付け座１６の切欠き５２（図９参照）に嵌まると共に、フック１８ｂが一旦開いた後閉じ、フック１８ｂが取付け座１６の切欠き５３（図９参照）に嵌まる。これにより、第１部本体１７が取付け座１６にワンタッチで取り付けられる。第１部本体１７を取付け座１６から外すときは、レバー１９を押し、フック１８ｂを開き方向に回転させる。第２部５はカップ状である。
【００１９】
ヒンジ用装置９のベース１０には、第１部本体１７が前後方向にスライド可能に嵌められる凹部２１が設けられる。凹部２１は、第１部本体１７の左右一対の側板１７ａに対応する左右一対の側壁２２と、第１部本体１７の連結板１７ｂに対応するベース本体２３と、ベース本体２３との間で一対の側板１７ａを上下方向に挟むように、一対の側壁２２の上端部に曲げて設けられる一対の屈曲部２２ａと、によって画定される。
【００２０】
図３は、ヒンジ２の第１部本体１７にヒンジ用装置９を取り付けた状態を示す。図３（ｂ）の断面図に示すように、第１部本体１７と第２部５とは、２つのリンク、すなわち内側リンク７と外側リンク８を介して連結される。第１部４、第２部５、内側リンク７及び外側リンク８は、４節回転連鎖を構成し、これらは互いに回り待遇で連結される。第１部４と外側リンク８との間には、扉３を閉じ位置に保持するためのねじりばね２４が介在する。また、外側リンク８には、扉３が閉じるときに外側リンク８に接触し、外側リンク８の回転を制動、ひいては扉３がゆっくり閉まるようにするダンパ２５が組み込まれる。なお、ねじりばね２４及びダンパ２５は省略することも可能である。
【００２１】
扉３の前後、左右、上下の位置を調節できるように、第１部本体１７は、取付け座１６（図１、図９参照）に前後、左右、上下の位置を調節可能に取り付けられる。図９に示す左右調節ねじ３１を回すことで、扉３の左右の位置を調節できる。図９に示す取付け座１６の支持金具１６ｂは、取付け座本体１６ａに対して左右に移動可能である。
【００２２】
図３（ｂ）に示す前後調節ねじ３２を回すことで、扉３の前後の位置を調節できる。図２、図３（ｂ）に示す第１部本体１７は、中間プレート１８に対して前後に移動可能である。
【００２３】
図３（ｂ）に示す上下調節ねじ３３を回すことで、扉３の上下の位置を調節できる。なお、図２、図３（ｂ）に示す第１部本体１７は、中間プレート１８に対して傾動可能である。
【００２４】
図３（ｂ）（ｃ）に示すように、ヒンジ用装置９のベース本体２３には、略筒状の止めねじ３４が螺合する。止めねじ３４の外周には、雄ねじ３４ｂが形成される。ベース本体２３には、雌ねじ３８が形成される。図４に示すように、止めねじ３４の内周には、レンチ等の操作部材によって止めねじ３４を回すことができるように、六角穴、四角穴、三角穴等の角穴３４ｃが形成される。
【００２５】
ベース１０の凹部２１（図２参照）に第１部本体１７をスライドさせ、適当な位置で止め、止めねじ３４を締めると、止めねじ３４の先端が第１部本体１７の凹部１７ｃに嵌まる。これにより、第１部本体１７がベース１０に固定される。このとき、止めねじ３４が上下調節ねじ３３の頭部に被さり、止めねじ３４のアクセス孔３４ａを介して調節ねじ３３を操作可能である。
【００２６】
図３（ｂ）、図４に示すように、ベース本体２３には、調節ねじ３２を操作できるように、アクセス孔３７が設けられる。また、ベース本体２３には、調節ねじ３１（図９参照）を操作できるように、アクセス孔３６が設けられる。第１部本体１７及び中間プレート１８にも、調節ねじ３１（図９参照）を操作できるように、開口が設けられる。
【００２７】
図５は、ヒンジ用装置９の分解斜視図を示す。ヒンジ用装置９は、ベース１０と、ベース１０に回転可能に支持されるアーム１１と、アーム１１に閉じ方向及び開き方向のトルクを働かせるための付勢手段としてのばね４１と、を備える。アーム１１には、スライダ４２がアーム１１の長さ方向にスライド可能に設けられる。スライダ４２は、ばね４１によってベース１０のカム４３に付勢される。カム４３は、ばね４１がスライダ４２を押す力をアーム１１を回転させるトルクに変換する。
【００２８】
ベース１０は、カム４３が形成されるベース本体２３と、ベース本体２３の左右側面に取り付けられる左右一対の側壁２２と、を備える。ベース本体２３は、互いに対向する左右一対の側板２３ａと、側板２３ａを連結する連結板２３ｂと、を備えて、断面コ字状である。カム４３は、ベース本体２３の側板２３ａに形成されていて、略円弧状である。カム４３の一部には、扉３を開き位置に保つための凹所４３ａが形成される。ベース本体２３には、上記の止めねじ３４が螺合する。一対の側壁２２それぞれは、板状である。一対の側壁２２の上端部には、互いに向かって突出する一対の屈曲部２２ａが形成される。
【００２９】
カム４３の形状は、ヒンジ用装置９が上記のキャッチ機能、アシスト機能、フリーストップ機能の少なくとも一つを持つように形成される。
【００３０】
アーム１１は、前後方向に細長い。アーム１１は、互いに対向する左右一対の側板１１ａと、側板１１ａを連結する連結板１１ｂと、を備えて、断面コ字状である。アーム１１の側板１１ａの後端部は、ベース１０の側壁２２に軸４４を介して回転可能に支持される。アーム１１の側板１１ａには、スライダ４２を案内するための長孔１１ａ１が形成される。長孔１１ａ１には、横長長方形の枠状のガイド体４５が嵌められる。
【００３１】
アーム１１には、軸状のスライダ４２がアーム１１の長さ方向にスライド可能に設けられる。スライダ４２の頭部４２ａには、ローラ４６が回転可能に支持される。スライダ４２の頭部４２ａには、ピン４８が通される。ローラ４６は、ローラーカラー４７を介してピン４８に回転可能に支持される。ピン４８はガイド体４５も貫通する。スライダ４２の頭部４２ａは、ピン４８を介してガイド体４５に案内される。
【００３２】
アーム１１には、コイル状のばね４１が収容される。ばね４１の長さは、アーム１１の略全長に渡る。ばね４１は、スライダ４２の軸部４２ｂを囲むように配置されていて、頭部４２ａのローラ４６をカム４３に付勢する。ばね４１の一端部には、ばね受け４９が当接する。ばね受け４９には、ねじ５０が螺合する。アーム１１の先端部には、Ｌ字の板状のばねケース５１が固定される。ねじ５０の頭部はばねケース５１に当接する。ねじ５０を回すことで、ばね受け４９がアーム１１の長さ方向に移動し、ばね４１の力が調節される。ねじ５０は、スライダ４２の軸部４２ｂの孔に挿入される。スライダ４２は、その頭部４２ａがピン４８を介してアーム１１のガイド体４５に案内され、その軸部４２ｂがねじ５０に案内される。
【００３３】
ばねケース５１には、アーム１１の長さ方向に延びると共に、先端が下方に向かって円弧状に湾曲する溝５１ａが形成される。図１に示すように、扉３に取り付けられる座１２は、左右一対の側板１２ａと、側板１２ａを連結する連結板１２ｂと、を備え、断面コ字状である。座１２の側板１２ａの内面には、小径の円形の突起１２ａ１（図７参照）が形成される。この突起１２ａ１がばねケース５１の溝５１ａにスライド可能にかつ回転可能に嵌まる。
【００３４】
図６（ａ）は扉３の閉じ位置を示し、図６（ｂ）は扉３の開き位置を示す。図６（ａ）に示すように、扉３が閉じ位置にあるとき、アーム１１は扉３と略平行であり、ヒンジ用装置９のキャッチ機能により扉３は閉じ位置に保たれる。
【００３５】
扉３を開くと、アーム１１が扉３と略平行な状態を保ったまま開き方向に回転し、座１２がアーム１１の先端に向かってスライドし始める。扉３を所定角度以上開くと、ヒンジ用装置９のアシスト機能により扉３をわずかな力で開けるようになる。また、ヒンジ用装置９のフリーストップ機能により、扉３から手を離しても扉３は任意の開き角度を保つ。
【００３６】
図６（ｂ）に示すように、扉３を開き位置まで開くと、アーム１１が扉３と略平行な状態を保ったまま略水平方向を向くまで回転する。座１２はアーム１１の略先端までスライドする。扉３を開き位置まで回転させると、スライダ４２のローラ４６がカム４３の凹所４３ａ（図５参照）に嵌まり、ヒンジ用装置９のキャッチ機能により扉３の開き位置が保たれる。
【００３７】
扉３を開き位置から閉じるときには、上述と逆の動作になる。扉３を所定角度まで閉じると、ヒンジ用装置９のキャッチ機能により扉３が自動的に閉まる。このとき、ヒンジ２のダンパ２５（図３（ｂ）参照）が作動して、扉３がゆっくり閉まる。なお、ダンパ２５をヒンジ２の替わりにヒンジ用装置９に設けることもできる。
【００３８】
図７ないし図９は、ヒンジ２及びヒンジ用装置９の取付け方法の工程図を示す。まず、図７に示すように、第３ねじ２０を用いて扉３に座１２を取り付ける。扉３には、あらかじめヒンジ２の第２部５が嵌められる凹部３ａが形成されている。
【００３９】
図８に示すように、ヒンジ２の第１部本体１７にヒンジ用装置９を取り付ける。このとき、図２に示すように、ベース１０の凹部２１に第１部本体１７をスライドさせ、適当な位置で止め、止めねじ３４を締める。また、座１２の突起１２ａ１をヒンジ用装置９のアーム１１の溝５１ａに嵌めた後、第２ねじ１５を用いてヒンジ２の第２部５を扉３に取り付ける。
【００４０】
図９に示すように、第１ねじ１４を用いて本体１の天板１ａにヒンジ２の取付け座１６を取り付ける。そして、ヒンジ２の第１部本体１７を取付け座１６にワンタッチで取り付ける。第１部本体１７にはヒンジ用装置９が固定されているので、ヒンジ用装置９もワンタッチで取り付けられる。なお、ヒンジ２の取付け座１６に第１部本体１７を取り付けた後、第１部本体１７にヒンジ用装置９をスライドさせて取り付けることもできる。
【００４１】
以上に本発明の第１の実施形態のヒンジ用装置９の構成を説明した。本実施形態のヒンジ用装置９によれば、以下の効果を奏する。
【００４２】
ヒンジ２にヒンジ用装置９を固定した状態で、止めねじ３４のアクセス孔３４ａを介してヒンジ２の調節ねじ３３を操作できる。このため、ヒンジ２にヒンジ用装置９を固定した状態で、扉３の位置を調節できる。
【００４３】
止めねじ３４を締めた状態で、止めねじ３４が調節ねじ３３の頭部に被さるので、調節ねじ３３の操作が容易である。
【００４４】
ヒンジ２の第１部４が、取付け座１６と、取付け座１６に着脱可能な第１部本体１７と、を有し、ヒンジ用装置９が第１部本体１７に固定されるので、ヒンジ用装置９を取付け座１６に着脱可能にすることができる。
（第２の実施形態）
【００４５】
図１０は、本発明の第２の実施形態のヒンジ用装置６５を示す。第１の実施形態では、ヒンジ用装置９のベース１０がスライドヒンジ２の第１部本体１７に取り付けられる。第２の実施形態では、ヒンジ用装置６５のベース１０が１軸ヒンジ６６の第１部６７に取り付けられる。
【００４６】
図１１に示すように、１軸ヒンジ６６は、本体１に取り付けられる略板状の第１部６７と、扉３に取り付けられる略板状の第２部６８と、第１部６７の筒部と第２部６８の筒部とに挿入される軸６９と、を備える。第１部６７には、ヒンジ用装置６５のベース１０がスライド可能に嵌められる座６７ａが形成される。座６７ａは、第１部６７から下方に突出する板状に形成される。座６７ａには、止めねじ３４（図５参照）が嵌まる筒体６７ｂが一体に形成される。筒体６７ｂの内部には、図示しないねじが設けられる。ねじの用途は特に限定されるものではなく、例えば第１部６７を本体１に固定するための締結ねじである。
【００４７】
ヒンジ用装置６５のベース１０を座６７ａにスライドさせ、適当な位置で止め、止めねじ３４を締めることで、ヒンジ用装置６５が１軸ヒンジ６６の第１部６７に固定される。ヒンジ用装置６５を１軸ヒンジ６６に固定した状態で、止めねじ３４のアクセス孔３４ａを介して筒体６７ｂ内のねじを操作可能である。
（第３の実施形態）
【００４８】
図１２は、本発明の第３の実施形態のヒンジ用装置７１を示す。第１の実施形態では、図５に示すように、アーム１１が断面コ字状で金属製である。第３の実施形態では、図１２に示すように、アーム７２が断面コ字状で金属製の基部フレーム７２ｂと、断面略四角形で略筒状の樹脂製の本体フレーム７２ａと、を備える。金属製の基部フレーム７２ｂは、樹脂製の本体フレーム７２ａの内側に嵌められていて、本体フレーム７２ａに固定される。基部フレーム７２ｂは、ベース１０の側壁２２に軸７３を介して回転可能に支持される。本体フレーム７２ａは、基部フレーム７２ｂと同様にベース１０の側壁２２に軸７３を介して回転可能に支持される。本体フレーム７２ａには、図５で示すガイド体４５、ばねケース５１が一体に樹脂成形される。本体フレーム７２ａ内には、図５で示すばね４１、ばね受け４９、ねじ５０が設けられる。また、本体フレーム７２ａ内には、ばね４１で付勢されるスライダ４２がピン４８を介してスライド可能に設けられる。
【００４９】
なお、本発明は、上記実施形態に具現化されるのに限られることはなく、本発明の要旨を変更しない範囲で様々な実施形態に具現化可能である。
【００５０】
上記実施形態では、ヒンジ用装置が扉に閉じ方向及び／又は開き方向のトルクを働かせる機能を持つが、この機能の替わりに、ヒンジ用装置が扉が閉まるときの衝撃を緩和するダンパ機能を持ってもよい。
【００５１】
上記実施形態では、ねじが扉の位置を調節するための調節ねじであるが、ねじの用途はこれに限られるものではなく、例えば、ダンパの強さを調節するためのねじでもよいし、ヒンジを本体又は扉に固定するためのねじでもよい。
【００５２】
上記実施形態では、止めねじがねじの頭部に被っているが、止めねじよりも奥の引っ込んだ位置に調節ねじの頭部があってもよい。調節ねじはドライバで回してもレンチで回してもよい。
【符号の説明】
【００５３】
１…本体
２…スライドヒンジ（ヒンジ）
３…扉
４…ヒンジの第１部
５…ヒンジの第２部
９…ヒンジ用装置
１０…ベース（被取付部）
１６…取付け座
１７…第１部本体
３３…調節ねじ（ねじ）
３４…止めねじ
３４ａ…アクセス孔
６５…ヒンジ用装置
６６…１軸ヒンジ（ヒンジ）
６７…ヒンジの第１部
６８…ヒンジの第２部
７１…ヒンジ用装置
【図１】
2018197464.tif 000003
【図２】
2018197464.tif 000004
【図３】
2018197464.tif 000005
【図４】
2018197464.tif 000006
【図５】
2018197464.tif 000007
【図６】
2018197464.tif 000008
【図７】
2018197464.tif 000009
【図８】
2018197464.tif 000010
【図９】
2018197464.tif 000011
【図１０】
2018197464.tif 000012
【図１１】
2018197464.tif 000013
【図１２】
2018197464.tif 000014
【図１３】
2018197464.tif 000015